(57)【特許請求の範囲】
【請求項１】
自立させようとする梯子の幅間隔に相応する長さで、上下幅が梯子のステップの上下厚みより若干大きい板状部材の所要箇所に梯子自立用支え材の連結部(2) が設けられている金具本体(1) と、この金具本体(1) に対し着脱可能で、且つ、前記した梯子のステップへの係合部(5) を備えていて、梯子の両支柱の片面に添わせた金具本体(1) を梯子に締め付け固定する機能を備えた連結金具(4) とよりなることを特徴とする梯子自立補助金具。
【請求項２】
梯子自立用支え材の連結部(2) が、梯子の両支柱よりも外方に張出するように金具本体(1) の両端部片面に溶接されたボルト(2a)と、このボルト(2a)に螺挿されるナット(2b)とよりなるものである請求項１に記載の梯子自立補助金具。
【請求項３】
連結金具(4) を、屈曲部分がステップへの係合部(5) とされるとともに両遊端が金具本体(1) に設けた透孔(1a)に挿通可能な雄ねじ部(5a)とされたＵ字ボルトと、その雄ねじ部(5a)に螺合できる締付ナット(6) とよりなるものとした請求項１または２に記載の梯子自立補助金具。
【発明の詳細な説明】
【０００１】
【発明の属する技術分野】
本発明は通常の梯子を利用して簡単に自立梯子や足場を組み立てることができる梯子自立補助金具に関するものである。
【０００２】
【従来の技術】
梯子は２本の支柱間に所要の間隔をおいてステップを張架しただけの自立できないものを普通とするため、壁体等に立掛けて使用する以外用途がなく、梯子として使われないときは、そのまま倉庫などに保管されたままになっているのが現状であって、利用範囲を広げることが望まれている。
【０００３】
【発明が解決しようとする課題】
本発明が解決しようとするところは前記のような要望に応えて、梯子を自立させて脚立や足場を構築できるようにすることにより、梯子の利用範囲を拡大することができる構造が簡単な梯子自立補助金具を提供することにある。
【０００４】
【課題を解決するための手段】
前述の課題を解決するために完成された本発明の梯子自立補助金具は、自立させようとする梯子の幅間隔に相応する長さで、上下幅が梯子のステップの上下厚みより若干大きい板状部材の所要箇所に梯子自立用支え材の連結部が設けられている金具本体と、この金具本体に対し着脱可能で、且つ、前記した梯子のステップへの係合部を備えていて、梯子の両支柱の片面に添わせた金具本体を梯子に締め付け固定する機能を備えた連結金具とよりなることを特徴とするものである。そして、このような梯子自立補助金具において、梯子自立用支え材の連結部を、梯子の両支柱よりも外方に張出するように金具本体の両端部片面に溶接されたボルトと、このボルトに螺挿されるナットとよりなるものを請求項２の発明とし、さらに、前記した各発明における連結金具として、屈曲部分がステップへの係合部とされるとともに両遊端が金具本体に設けた透孔に挿通可能な雄ねじ部とされたＵ字ボルトと、その雄ねじ部に螺合できる締付ナットとよりなるものとしたものを請求項３の発明とする。
【０００５】
【発明の実施の形態】
次に、本発明の好ましい実施の形態を図１〜図７を参考にしながら詳細に説明する。
１は自立させようとする梯子１０に取り付けられる金具本体である。この金具本体１は長さが通常の梯子１０の幅間隔に相応するように梯子幅と略等しく、且つ、上下幅がステップ１１の厚みより若干大きい板状部材の所要箇所に梯子自立用支え材３を連結させるための連結部２を設けたものである。４は金具本体１を前記した梯子１０に連結するための連結金具であって、この連結金具４は金具本体１に対して着脱可能で、且つ、前記した梯子１０のステップ１１への係合部５を備えたものである。
【０００６】
前記した梯子自立用支え材３を支えるための連結部２は、梯子１０に後記する梯子自立用支え部材３を連結してこの梯子自立用支え部材３により梯子１０を自立させるようにするためのものであって、図示例の連結部２は、梯子１０の支柱１０ａよりも外方に張出されるように板状部材の両端部片面に溶接されたボルト２ａと、このボルト２ａに螺合されるナット２ｂとからなるものとしてある。また、前記した金具本体１を梯子１０に連結するための連結金具４は、梯子１０に梯子自立用支え部材３を連結して梯子１０を自立させるようにするためのものであるから、金具本体１に対して着脱可能で、且つ、前記した梯子１０のステップ１１への係合部５を備えていて、梯子１０の両支柱１０ａ、１０ａの片面に金具本体１を添わせたときにこれを梯子１０に締め付け固定する機能を備えたものであればよいが、図１〜図５に例示した連結金具４は、屈曲部分をステップ１１への係合部５とするとともに、両遊端を金具本体１の板状部材に設けた透孔１ａに挿通可能な雄ねじ部５ａ、５ａに形成してあるＵ字ボルトと、このＵ字ボルトの各遊端の雄ねじ部５ａに螺合できる締付ナット６とよりなるものが用いられているが、図６に示した後記する他の実施例のようにしてもよい。
【０００７】
このように構成されたものは、長さが自立させようとする梯子１０の幅間隔に相応する長さで、その所要箇所に梯子自立用支え材の連結部２が設けられている金具本体１と、この金具本体１に対して着脱可能であって、前記した梯子１０のステップ１１への係合部５を備えていて、梯子の両支柱の片面に添わせた金具本体を梯子に締め付け固定する機能を備えた連結金具４とよりなるものとしたので、図１に示されるように、金具本体１を自立させようとする梯子１０の所要のステップ１１と対向配置されるようにして両支柱１０ａ、１０ａの片面に添わせ、次に、連結金具４としてのＵ字ボルトの屈曲部分を前記したステップ１１に係合抱持させたうえ、両遊端の雄ねじ部５ａ、５ａを金具本体１に形成された透孔１ａ、１ａに挿通し、この雄ねじ部５ａ、５ａに締付ナット６、６を螺合して締付ければ、金具本体１が自立させようとする梯子１０に固定される。そして、この金具本体１の所要箇所に設けられている連結部２であるボルト２ａに梯子自立用支え材３の上端の連結孔を嵌めたうえ、ボルト２ａにナット２ｂを螺合してこれを締付ければ、梯子自立用支え材３は梯子１０に連結され、２本の支柱のみで自立不能であった梯子２は、自身の両支柱の脚端と前記した梯子自立用支え材３の脚端との３点以上で接地可能な自立梯子として利用できることとなる。
【０００８】
また、２個の梯子から組立式足場を組み立てたいときには、図２に示すように、足場として必要な間隔をおいて一対の梯子１０、１０を配置して、各梯子１０の上方および下方のステップ１１、１１と対向する位置において、各梯子１０、１０の両支柱１０ａ、１０ａの片面に金具本体１を添わせ、次いで、図１に示すように、連結金具４としてのＵ字ボルトの屈曲部分５ｂを前記したステップ１１に係合抱持させたうえ他端の雄ねじ部５ａ、５ａを金具本体１に形成してある透孔１ａ、１ａに挿通し、この雄ねじ部５ａ、５ａにそれぞれ締付ナット６を螺合して締付けることにより、金具本体１、１を自立させようとする梯子１０、１０の外面に固定する。そして、前記した両梯子１０、１０間には梯子自立用支え材３としての筋交いを介在させてその各端部に設けられている連結孔を嵌めたうえ、連結部２であるボルト２ａにナット２ｂを螺合して締付けて連結し、最後に両梯子１０、１０間の上方部に踏み板３０を介在させてその両端を両梯子１０、１０のステップ１１、１１に係止させれば、ここに図２、図３に示したような足場が組立られることとなる。
【０００９】
なお、梯子自立用支え材３としての筋交いは、図２に示すものでは、梯子１０の前面側と背面側に２本配設しているが、図４に示されるように、梯子間１０の中間部に１本配設するものとしてもよく、この場合には、例えば、金具本体１の中央に連結部２としてのボルト取付用あるいはボルト挿通用の突出部を形成し、該突出部に挿通または固着されるボルト２ａに梯子自立用支え材３としての筋交いの一端を係止させてナット２ｂで締め付けるものとしている。
【００１０】
また、前記したような足場をさらに延長する場合は、金具本体１を取り付けた別の梯子１０を足場と並立させたうえ、その梯子１０の上下位置にある連結部２に新たな筋交いの一端を係止させて締付ナット６で締め付けるとともに、筋交いの他端を構築された足場の連結部２に係止させて締付ナット６で締め付ける。このとき筋交いの他端は図５、６に示されるように、既に連結部２に係止されている筋交いと重ね合わせて係止したうえ締付ナット６により締め付けられる。このようにして別の梯子１０を並立させて梯子自立用支え材３により連繋してゆけば、任意の長さを有する足場を構築することができる。なお、構築された足場の踏み板３０に上る際は、梯子１０のステップ１１を利用してもよいが、足場のステップ１１に斜めに踏み板３０を係止させて傾斜通路を作って上るようにしてもよいことは勿論である。
【００１１】
また、図６に示される連結金具４は、梯子１０のステップ１１が断面丸型でなく角型の場合に用いるものであり、該連結金具４はＵ字ボルトの代わりに梯子１０の支柱１０ａを前後から挟み込む平板１２、１２と、該平板１２、１２に挿通されて両者を連結する上下のボルト１３、１３およびボルト１３のねじ部１３ａに螺挿されるナット１４、１４とからなるものであり、上下のボルト１３、１３間にステップ１１が介在されるようにして、梯子１０に取り付けた金具本体１がずれ動くことのないようにしている。
【００１２】
さらに、図７に示される梯子自立用支え材３は、梯子１０を単体で自立させる頬杖状脚２０であり、該頬杖状脚２０はベース板２１の両側部上面に枢着されて金具本体１の連結部２に係止される頬杖杆２２、２２とベース板２１上に載置される梯子１０の支柱１０ａの動きを止めるストッパ２３と、ベース板２１の両端に形成された透孔を通じて地面に打ち込まれるアンカー２４とらからなるものとしてある。なお、前記ストッパ２３は梯子１０の下端が連結部２を中心として揺動することを防止するために設けられているが、連結部２のボルト２ａに角軸部を形成し、頬杖杆２２のボルト挿通孔を角孔として角軸部が角孔に嵌合されるようして回り止めされるものであれば、ストッパ２３はなくてもよいことは勿論である。また、アンカー２４は梯子１０を確実に安定させるために用いているが、使用状況によっては用いなくてもよく、さらに、左右のベース板２１を連結させた角枠状とすればアンカー２４はなくても梯子１０を安定させることができる。また、頬杖状脚２０は梯子１０の両側に取り付けられているがいずれか一方でもよいことは勿論である。
【００１３】
【発明の効果】
本発明は前記説明によって明らかなように、自立させようとする梯子の幅間隔に相応する長さで、上下幅が梯子のステップの上下厚みより若干大きい板状部材の所要箇所に梯子自立用支え材の連結部が設けられている金具本体と、この金具本体に対し着脱可能で、且つ、前記した梯子のステップへの係合部を備えていて、梯子の両支柱の片面に添わせた金具本体を梯子に締め付け固定する機能を備えた連結金具とよりなるものとしたので、梯子を簡単に自立できるものとして脚立や足場を簡単に構築することができ、梯子の用途を拡大することができる。しかも、脚立や足場としての専用部材を必要とすることなく、従来の梯子を利用できるので、経済的なうえに梯子と脚立と足場を用意しておく場合に比べて保管スペースが大幅に少なくて済むこととなる。
従って、本発明は梯子の使い方を拡張することができる梯子自立補助金具として業界の発展に寄与するところ大なものである。
【図面の簡単な説明】
【図１】  本発明の好ましい実施の形態を示す斜視図である。
【図２】  本発明の好ましい実施の形態を用いて足場を組み立てた状態を示す斜視図である。
【図３】  本発明の好ましい実施の形態により構築された足場の要部を示す一部切欠斜視図である。
【図４】  本発明の好ましい実施の形態において一つの支え部材により構築した足場の要部を示す一部切欠斜視図である。
【図５】  本発明の好ましい実施の形態の連結機構による取付状態を示す要部の一部切欠側面図である。
【図６】  本発明の好ましい実施の形態におけて他の連結機構による取付状態を示す要部の一部切欠側面図である。
【図７】  本発明の好ましい実施の形態における他の支え部材による梯子の自立を示す一部切欠斜視図である。
【符号の説明】
１  金具本体
２  梯子自立用支え材の連結部
2a  ボルト
2b  ナット
４  連結金具
５  ステップへの係合部
６  締付ナット
6a  雄ねじ部
【図１】
0003638017.tif 000002
【図２】
0003638017.tif 000003
【図３】
0003638017.tif 000004
【図４】
0003638017.tif 000005
【図５】
0003638017.tif 000006
【図６】
0003638017.tif 000007
【図７】
0003638017.tif 000008